【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
所定条件の入力により保持者に緊急事態が発生したことを検出し、前記緊急事態が発生した旨の情報、前記緊急事態の測位データ及び前記保持者若しくは携帯無線通信機のＩＤ情報を含む緊急情報を送信する携帯無線通信機と、
前記保持者の緊急事態の発生に対して救助対応を行う対応行動を行う意志のある者が現時点において前記対応行動をすることが可能である旨を知らせる対応可能情報、現在位置情報及び前記対応者若しくは緊急通報対応端末機のＩＤ情報を送信する緊急通報対応端末機と、
前記携帯無線通信機及び前記緊急通報対応端末機から送信された各種情報に基づいて、複数の前記緊急通報対応端末機のうちから前記保持者の緊急事態の救出対応を依頼する対応依頼情報を送信する１以上の緊急通報対応端末機を選出するとともに、所定の緊急通報先及び選出された前記１以上の緊急通報対応端末機に対して前記緊急情報を送信する緊急通報装置と
を備えることを特徴とする緊急通報システム。
【請求項２】
前記緊急通報対応端末機は、
前記対応行動が可能か否かを知らせる前記対応可能情報又は対応不能情報を入力する対応可否情報入力手段と、
前記対応可能情報若しくは前記対応不能情報、前記現在位置情報及び前記緊急通報対応端末機若しくは前記対応者の前記ＩＤ情報を前記緊急通報装置に送信する送信手段と、
前記対応可否情報入力手段により前記対応可能情報が入力されたとき、前記対応依頼情報の受信を開始する受信手段と、
前記対応依頼情報に係る前記緊急事態の測位データに基づいて目的地を自動的に設定する目的地自動設定手段と、
現在地から前記目的地までの経路を案内するナビゲーション手段と
を備えることを特徴とする請求項１に記載の緊急通報システム。
【請求項３】
前記緊急通報対応端末機は、前記携帯無線通信機若しくは前記緊急通報装置を操作する者又は前記所定の通信先に対して会話信号を通信する会話手段を備えている
ことを特徴とする請求項１又は請求項２に記載の緊急通報システム。
【請求項４】
前記携帯無線通信機に対して前記所定条件の入力又はその基礎となるスタート信号を送信するスタート信号発信機を備える
ことを特徴とする請求項１から請求項３のいずれか１項に記載に記載の緊急通報システム。
【請求項５】
前記スタート信号発信機は、
前記携帯無線通信機から前記緊急情報の送信と無関係に定期的に送信される前記携帯無線通信機又は前記保持者のＩＤ情報を受信することにより、前記ＩＤ情報を確認するＩＤ確認手段と、
前記ＩＤ確認手段により前記携帯無線通信機又は前記保持者のＩＤ情報を確認したときに、前記携帯無線通信機又は前記保持者のＩＤ情報を送信した前記携帯無線通信機に前記スタート信号を送信する前記スタート信号付与手段と
を備えることを特徴とする請求項４に記載の緊急通報システム。
【請求項６】
前記スタート信号発信機は、
所定の領域を通過するものを検知する検知手段と、
前記検知手段が前記ものの通過を検知し、かつ、前記ＩＤ確認手段が前記ＩＤ情報を確認することができなかったとき、前記ＩＤ情報の確認ができないものが前記所定の領域を通過した旨を所定の連絡先に連絡する連絡手段と
を備えることを特徴とする請求項５に記載の緊急通報システム。
【請求項７】
前記携帯無線通信機は、２０立方センチメートル以下の大きさ、７０グラム以下の重さ、及び、携帯電話機型、ブローチ型、時計型、眼鏡型、ネックレス型その他の前記保持者が普段携帯する装置に内蔵する形状又は前記保持者の身体の一部に装着させる形状に形成されている
ことを特徴とする請求項１から請求項６のいずれか１項に記載の緊急通報システム。
【請求項８】
前記携帯無線通信機は、
前記スタート信号の受信したとき、前記スタート信号の受信から所定時間を経過したとき、前記スタート信号の受信に対して保持者からの所定の動作若しくは指示がないとき、前記スタート信号の受信に基づき定められた基準位置から所定距離を超過したとき、通常心拍数とは異なる心拍数を検知したとき、通常時の瞬きの回数や目を閉じた回数とは異なる回数を検知したとき、又は、音声処理手段により作成された音声データに基づいて前記保持者に前記緊急事態が生じたと判断手段が判断したときのうちの少なくとも１つの前記所定条件の入力が行われたときに、前記緊急事態の発生を検出する第１類スイッチ手段と、
前記第１類スイッチ手段による検出に応じて、前記緊急事態が発生した旨を伝える情報、日時データ作成手段により作成された日時データ、測位手段により作成された測位データ及び携帯無線通信機又は保持者を特定するＩＤ情報を含む緊急情報の生成処理を行う緊急通報処理手段と、
連絡先データ記憶手段若しくは前記緊急通報装置に記憶されている緊急連絡先又は前記緊急事態の発生時に入力された緊急通報先に前記緊急情報を送信する通信手段と
を備えることを特徴とする請求項１から請求項７のいずれか１項に記載の緊急通報システム。
【請求項９】
前記携帯無線通信機は、前記測位手段によって所定時間の経過毎に測位された複数の前記測位データに基づいて、前記第１類スイッチ手段が前記緊急事態の発生を検出するための条件となる前記基準位置からの所定距離を算出する距離測定手段を備える
ことを特徴とする請求項８に記載の緊急通報システム。
【請求項１０】
前記緊急通報処理手段は、前記緊急情報の処理時から所定時間の経過毎に、前記保持者に前記緊急事態が継続している旨の情報、前記日時データ、前記測位データ及び前記ＩＤ情報を含む経過情報の生成処理を行い、
前記通信手段は、タイマー手段による送付タイミングに応じて、前記緊急通報先に対して、前記経過情報を送信する
ことを特徴とする請求項８又は請求項９に記載の緊急通報システム。
【請求項１１】
前記携帯無線通信機は、第２類スイッチ手段の操作又は前記スタート信号の受信に応じて、前記緊急事態の解消又は前記第１類スイッチ手段の誤動作若しくは誤操作を伝える情報、前記日時データ、前記測位データ及び前記ＩＤ情報を含む訂正情報の作成処理を行う訂正通報処理手段を備えており、
前記携帯無線通信機に係る前記通信手段は、前記緊急通報先に前記訂正情報を送信する
ことを特徴とする請求項８から請求項１０のいずれか１項に記載の緊急通報システム。
【請求項１２】
前記緊急通報処理手段は、前記緊急事態発生前において前記緊急通報装置に前記緊急事態に関する情報を蓄積するため、第３種のスイッチの操作又は前記スタート信号の受信に応じて、前記日時データ、前記測位データ及び前記ＩＤ情報を含む蓄積情報の作成処理を行い、
前記通信手段は、前記蓄積情報の作成処理に応じて、前記緊急通報先に対して、前記蓄積情報を送信する
ことを特徴とする請求項８から請求項１１のいずれか１項に記載の緊急通報システム。
【請求項１３】
前記携帯無線通信機は、
前記緊急通報処理手段の稼動中においてその旨を表示する表示手段と、
前記緊急通報処理手段の稼動中において、周囲に注意を喚起し又は前記緊急事態の原因となっている危害者に警告を発生する警告手段と、
前記緊急通報先から受信した通話信号に係る音声を再生する音声再生手段と
を備えるとともに、
前記携帯無線通信機に係る前記緊急情報、前記経過情報又は前記訂正情報は、前記音声データ又は画像処理手段により作成された画像データを含む情報である
ことを特徴とする請求項８から請求項１２のいずれか１項に記載の緊急通報システム。
【請求項１４】
前記携帯無線通信機は、レンズ及びフレームを有する眼鏡形状に形成されているとともに、前記第１類スイッチ手段に係る前記所定条件の入力となる前記瞬きの間隔又は回数を検知する瞬きセンサを前記レンズ又は前記フレームに備えている
ことを特徴とする請求項８から請求項１３のいずれか１項に記載の緊急通報システム。
【請求項１５】
前記通信手段は、通常時の前記瞬きの間隔又は回数に関する情報及び前記携帯無線通信機又は前記保持者のＩＤ情報を前記蓄積情報として定期的に前記緊急通報装置に送信する
ことを特徴とする請求項１４に記載の緊急通報システム。
【請求項１６】
前記緊急通報装置は、
前記緊急情報、前記経過情報又は前記蓄積情報その他の前記緊急通報装置が受信した受信情報に含まれるＩＤ情報に基づいて、前記受信情報の送信元が前記緊急通報装置の利用を許可されているか否かを判断する認証手段と、
前記送信元が前記緊急通報装置の利用を許可されていると前記認証手段が判断した場合、前記受信情報をデータベースに保存するデータベース管理手段と、
前記データベースに保存された前記受信情報は前記緊急情報又は前記経過情報であると判断手段が判断した場合に前記所定の緊急通報先に連絡する通報手段と、
を備えることを特徴とする請求項１から請求項１５のいずれか１項に記載の緊急通報システム。
【請求項１７】
前記緊急通報装置は、前記緊急処理対応端末から送信された前記現在位置情報及び前記対応可能情報に基づいて前記緊急情報を送信した前記携帯無線通信機から近い順に１以上の所定数の前記緊急処理対応端末を選出する
ことを特徴とする請求項１から請求項１６のいずれか１項に記載の緊急通報システム。
【請求項１８】
前記緊急通報装置は、前記緊急処理対応端末から送信された前記現在位置情報及び前記対応可能情報に基づいて前記経過情報を送信した前記携帯無線通信機から近い順に１以上の所定数の前記緊急処理対応端末を選出する
ことを特徴とする請求項１０から請求項１７のいずれか１項に記載の緊急通報システム。
【手続補正２】
【補正対象書類名】明細書
【補正対象項目名】発明の名称
【補正方法】変更
【補正の内容】
【発明の名称】緊急通報システム